(57)【要約】【課題】従来のカメラシステムにおいては、イメージサークルが大きく、カメラシステム全体として小型化には不十分であるという課題があった。【解決手段】交換レンズとカメラボディとを具備するカメラシステムにおいて、レンズ側マウント部の開口部の最大内径を持つ円弧部の半径をｒＭ、フランジバックをｄａ、前記イメージサークルの直径をＤとしたとき、次式１４．０ｍｍ ≦ ２ｒＭ ≦ ４０．０ｍｍ      条件式（１）１６．０ｍｍ ≦ ｄａ ≦ ２０．０ｍｍ        条件式（２）１４．０ｍｍ ≦ Ｄ ≦ ２０．０ｍｍ          条件式（３）の条件を満足する。【選択図】図１
2012098706.tif 000002
【特許請求の範囲】
【請求項１】
所定のイメージサークルを有するカメラシステムにおいて、
カメラボディに取り付けるためのレンズ側マウント部を有した前記イメージサークル内に像を結像可能な交換レンズと、
前記イメージサークル内に配置される撮像素子と、該撮像素子の受光面から所定距離離れた位置に配置される交換レンズを取り付けるためのボディ側マウント部を有したカメラボディと、を具備しており、
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記所定のイメージサークルの直径をＤとしたとき、次式
１４．０ｍｍ ≦ ２ｒＭ ≦ ４０．０ｍｍ      条件式（１）
１６．０ｍｍ ≦ ｄａ ≦ ２０．０ｍｍ        条件式（２）
１４．０ｍｍ ≦ Ｄ ≦ ２０．０ｍｍ          条件式（３）
の条件を満足することを特徴とするカメラシステム。
【請求項２】
前記レンズ側マウント部から最も像側のレンズ面までの光軸上の距離をＬ（前記レンズ側マウント部を基準とし、像側をプラス、物体側をマイナスとする）としたとき、次式
Ｌ ≦  １１．０ｍｍ    条件式（４）
の条件を満足することを特徴とする請求項１に記載のカメラシステム。
【請求項３】
前記レンズ側マウント部の内径をＭ開口部の最大内径を持つ円弧部の半径をｒＭとしたとき、次式
１８．０ｍｍ ≦ ２ｒＭ ≦ ３４．０ｍｍ          条件式（１Ａ）
の条件を満足することを特徴とする請求項１または請求項２に記載のカメラシステム。
【請求項４】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
の条件を満足することを特徴とする請求項１から請求項３のいずれか１項に記載のカメラシステム。
【請求項５】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
２ｒＭ/ｄａ ≧ ０．７             条件式（６）
の条件を満足することを特徴とする請求項１から請求項３のいずれか１項に記載のカメラシステム。
【請求項６】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
２ｒＭ/ｄａ ≧ ０．８             条件式（６Ａ）
の条件を満足することを特徴とする請求項１から請求項３のいずれか１項に記載のカメラシステム。
【請求項７】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
２ｒＭ/ｄａ ≧ １．０             条件式（６Ｂ）
の条件を満足することを特徴とする請求項１から請求項３のいずれか１項に記載のカメラシステム。
【請求項８】
直径が１４．０ｍｍ以上２０．０ｍｍ以下の円内に撮像面信号を生成する画素が全て配置される撮像素子と、ボディ側マウント部とを有したカメラボディに取り付け可能な交換レンズであって、
前記カメラボディに取り付けるためのレンズ側マウント部と、光学系を有し、
前記光学系は、前記撮像素子の受光面に物体の像を結像させ、
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、としたとき、次式
１４．０ｍｍ ≦ ２ｒＭ ≦ ４０．０ｍｍ      条件式（１）
１６．０ｍｍ ≦ ｄａ ≦ ２０．０ｍｍ        条件式（２）
の条件を満足することを特徴とする交換レンズ。
【請求項９】
前記レンズ側マウント部から最も像側のレンズ面までの光軸上の距離をＬ（前記レンズ側マウント部を基準とし、像側をプラス、物体側をマイナスとする）としたとき、次式
Ｌ ≦  １１．０ｍｍ    条件式（４）
の条件を満足することを特徴とする請求項８に記載の交換レンズ。
【請求項１０】
前記レンズ側マウント部の開口部の最大内径を持つ円弧部の半径をｒＭとしたとき、次式
１８．０ｍｍ ≦ ２ｒＭ ≦ ３４．０ｍｍ          条件式（１Ａ）
の条件を満足することを特徴とする請求項８または請求項９に記載の交換レンズ。
【請求項１１】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
の条件を満足することを特徴とする請求項８から請求項１０のいずれか１項に記載の交換レンズ。
【請求項１２】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
２ｒＭ/ｄａ ≧ ０．７             条件式（６）
の条件を満足することを特徴とする請求項８から請求項１０のいずれか１項に記載の交換レンズ。
【請求項１３】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
２ｒＭ/ｄａ ≧ ０．８             条件式（６Ａ）
の条件を満足することを特徴とする請求項８から請求項１０のいずれか１項に記載の交換レンズ。
【請求項１４】
前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記カメラ側マウントに取り付け可能な光学系の口径比をＦＮｏとしたとき、次式
２ｒＭ/ｄａ ≧ １/ＦＮｏ          条件式（５）
２ｒＭ/ｄａ ≧ １．０             条件式（６Ｂ）
の条件を満足することを特徴とする請求項８から請求項１０のいずれか１項に記載の交換レンズ。
【請求項１５】
直径が１４．０ｍｍ以上２０．０ｍｍ以下の円内に撮像面信号を生成する画素が全て配置される撮像素子と、ボディ側マウント部とを有したカメラボディに取り付け可能な交換レンズであって、
前記カメラボディに取り付けるためのレンズ側マウント部と、光学系を有し、
前記光学系は、前記撮像素子の受光面に物体の像を結像させ、
前記レンズ側マウント部の開口部の最大内径を持つ円弧部の半径をｒＭ、前記レンズ側マウント部から前記光学系の像面迄の距離をｄＢとしたとき、次式
１４．０ｍｍ ≦ ２ｒＭ ≦ ４０．０ｍｍ      条件式（１）
１４．８ｍｍ ≦ ｄＢ ≦ １８．８ｍｍ        条件式（２−２）
の条件を満足することを特徴とする交換レンズ。
【請求項１６】
前記レンズ側マウント部から最も像側のレンズ面までの光軸上の距離をＬ（前記レンズ側マウント部を基準とし、像側をプラス、物体側をマイナスとする）としたとき、次式
Ｌ ≦  １１．０ｍｍ    条件式（４）
の条件を満足することを特徴とする請求項１５に記載の交換レンズ。
【請求項１７】
前記レンズ側マウント部の開口部の最大内径を持つ円弧部の半径をｒＭとしたとき、次式
１８．０ｍｍ ≦ ２ｒＭ ≦ ３４．０ｍｍ      条件式（１Ａ）
の条件を満足することを特徴とする請求項１５または請求項１６に記載の交換レンズ。
【請求項１８】
前記レンズ側マウント部の開口部の最大内径を持つ円弧部の半径をｒＭ、前記カメラ側マウントに取り付け可能な光学系の口径比をＦＮｏとしたとき、次式
２ｒＭ/ｄＢ ≧ １/ＦＮｏ          条件式（５−２）
の条件を満足することを特徴とする請求項１５から請求項１７のいずれか１項に記載の交換レンズ。
【請求項１９】
前記レンズ側マウント部の開口部の最大内径を持つ円弧部の半径をｒＭ、前記カメラ側マウントに取り付け可能な光学系の口径比をＦＮｏとしたとき、次式
２ｒＭ/ｄＢ ≧ １/ＦＮｏ          条件式（５−２）
２ｒＭ/ｄＢ ≧ ０．７             条件式（６−２）
の条件を満足することを特徴とする請求項１５から請求項１７のいずれか１項に記載の交換レンズ。
【請求項２０】
前記レンズ側マウント部の開口部の最大内径を持つ円弧部の半径をｒＭ、前記カメラ側マウントに取り付け可能な光学系の口径比をＦＮｏとしたとき、次式
２ｒＭ/ｄＢ ≧ １/ＦＮｏ          条件式（５−２）
２ｒＭ/ｄＢ ≧ ０．８             条件式（６−２Ａ）
の条件を満足することを特徴とする請求項１５から請求項１７のいずれか１項に記載の交換レンズ。
【請求項２１】
前記レンズ側マウント部の開口部の最大内径を持つ円弧部の半径をｒＭ、前記カメラ側マウントに取り付け可能な光学系の口径比をＦＮｏとしたとき、次式
２ｒＭ/ｄＢ ≧ １/ＦＮｏ          条件式（５−２）
２ｒＭ/ｄＢ ≧ １．０             条件式（６−２Ｂ）
の条件を満足することを特徴とする請求項１５から請求項１７のいずれか１項に記載の交換レンズ。
【発明の詳細な説明】
【技術分野】
【０００１】
本発明は、カメラボディ、交換レンズを備えたカメラシステムおよび交換レンズに関する。
【背景技術】
【０００２】
従来から、デジタルカメラやビデオカメラ等で、レンズ側およびカメラボディ側にマウントを有し、レンズ交換が可能なカメラシステムおよび交換レンズが知られている。（例えば、特許文献１参照）。
【先行技術文献】
【特許文献】
【０００３】
【特許文献１】特開２００５−６１２２号公報
【発明の概要】
【発明が解決しようとする課題】
【０００４】
しかしながら、従来のカメラシステムおよび交換レンズにおいては、イメージサークルが大きく、カメラシステム全体として小型化には不十分であるという課題があった。
本発明はこのような課題に鑑みてなされたものであり、小型・薄型で所望の光学性能を得ることができるカメラシステムおよび交換レンズを提供することを目的とする。
【課題を解決するための手段】
【０００５】
上記目的を達成するために本発明は、所定のイメージサークルを有するカメラシステムにおいて、カメラボディに取り付けるためのレンズ側マウント部を有した前記イメージサークル内に像を結像可能な交換レンズと、前記イメージサークル内に配置される撮像素子と、該撮像素子の受光面から所定距離離れた位置に配される交換レンズを取り付けるためのボディ側マウント部を有したカメラボディと、を具備しており、前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａ、前記イメージサークルの直径をＤとしたとき、次式
１４．０ｍｍ ≦ ２ｒＭ ≦ ４０．０ｍｍ      条件式（１）
１６．０ｍｍ ≦ ｄａ ≦ ２０．０ｍｍ        条件式（２）
１４．０ｍｍ ≦ Ｄ ≦ ２０．０ｍｍ          条件式（３）
の条件を満足するカメラシステムであることを特徴とする。
また、上記目的を達成するために本発明は、直径が１４．０ｍｍ以上２０．０ｍｍ以下の円内に撮像面信号を生成する画素が全て配置される撮像素子と、ボディ側マウント部とを有したカメラボディに取り付け可能な交換レンズであって、前記カメラボディに取り付けるためのレンズ側マウント部と、光学系を有し、前記光学系は、前記撮像素子の受光面に物体の像を結像させ、前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａとしたとき、次式
１４．０ｍｍ ≦ ２ｒＭ ≦ ４０．０ｍｍ      条件式（１）
１６．０ｍｍ ≦ ｄａ ≦ ２０．０ｍｍ        条件式（２）
の条件を満足する交換レンズであることを特徴とする。
また、上記目的を達成するために本発明は、直径が１４．０ｍｍ以上２０．０ｍｍ以下の円内に撮像面信号を生成する画素が全て配置される撮像素子と、ボディ側マウント部とを有したカメラボディに取り付け可能な交換レンズであって、前記カメラボディに取り付けるためのレンズ側マウント部と、光学系を有し、前記光学系は、前記撮像素子の受光面に物体の像を結像させ、前記レンズ側マウント部の開口部の最大内径を持つ円弧部の半径をｒＭ、前記レンズ側マウント部から前記光学系の像面迄の距離をｄＢとしたとき、次式
１４．０ｍｍ ≦ ２ｒＭ ≦ ４０．０ｍｍ      条件式（１）
１４．８ｍｍ ≦ ｄＢ ≦ １８．８ｍｍ        条件式（２−２）
の条件を満足する交換レンズであることを特徴とする。
【発明の効果】
【０００６】
本発明によれば、小型・薄型で高い結像性能を得ることができるカメラシステムおよび交換レンズを実現することができる。
【図面の簡単な説明】
【０００７】
【図１】本発明を有する交換レンズとカメラボディの構造概略図
【図２】本発明を有する交換レンズとカメラボディの装着状態の構造概略図
【図３】第１実施例によるレンズ側マウント部を有した交換レンズの構成を示す断面図
【図４】第２実施例によるレンズ側マウント部を有した交換レンズの構成を示す断面図
【図５】第３実施例によるレンズ側マウント部を有した交換レンズの構成を示す断面図
【図６】第４実施例によるレンズ側マウント部を有した交換レンズの構成を示す断面図
【図７】第５実施例によるレンズ側マウント部を有した交換レンズの構成を示す断面図
【発明を実施するための形態】
【０００８】
図１は、本発明のカメラシステムを構成する交換レンズ１とカメラボディ２の構造概略図を示し、図２は、前記交換レンズ１を前記カメラボディ２に装着した状態を示す。これら図１および図２を参照して、本発明に係るカメラシステムは、所定のイメージサークルを有し、カメラボディ２に取り付けるためのレンズ側マウント部１ａを有した前記イメージサークル内に像を結像可能な交換レンズ１と、前記イメージサークル内に配される撮像素子と、該撮像素子の受光面Ｉから所定距離離れた位置に配された交換レンズ１を取り付けるためのボディ側マウント部２ａを有したカメラボディ２と、を具備しており、前記レンズ側マウント部の開口部の最大内径を持つ円弧部の半径をｒＭ、フランジバック（前記ボディ側マウント部に前記レンズ側マウント部を取り付けた時の前記ボディ側マウント部から撮像素子の受光面までの光軸上の距離）をｄａ、前記イメージサークルの直径をＤとしたとき、以下の条件式を満足することにより、小型・薄型で優れた結像性能を得ることが可能なカメラシステムを達成できた。
１４．０ｍｍ ≦ ２ｒＭ ≦ ４０．０ｍｍ      条件式（１）
１６．０ｍｍ ≦ ｄａ ≦ ２０．０ｍｍ        条件式（２）
１４．０ｍｍ ≦ Ｄ ≦ ２０．０ｍｍ          条件式（３）
さらに、本発明に係るカメラシステムは、前記レンズ側マウント部から最も像側のレンズ面までの光軸上の距離をＬ（前記レンズ側マウント部を基準とし、像側をプラス、物体側をマイナスとする）としたとき、以下の条件式を満足することにより、適切な大きさのカメラシステムを達成できた。
Ｌ ≦１１．０ｍｍ    条件式（４）
さらに、本発明に係るカメラシステムは、以下の条件式を満足することにより、十分な周辺光量を確保した大口径比レンズの実現が可能なカメラシステムを達成できた。
２ｒＭ/ｄａ ≧ １/ＦＮｏ                      条件式（５）
２ｒＭ/ｄａ ≧ ０．７                         条件式（６）
また、本発明に係る交換レンズは、直径が１４．０ｍｍ以上２０．０ｍｍ以下の円内に撮像面信号を生成する画素が全て配置される撮像素子と、ボディ側マウント部とを有したカメラボディに取り付け可能な交換レンズであって、前記カメラボディに取り付けるためのレンズ側マウント部と、光学系を有し、前記光学系は、前記撮像素子の受光面に物体の像を結像させ、前記レンズ側マウント部の開口部の最大内径を持つ円弧部の半径をｒＭ、前記ボディ側マウント部に前記レンズ側マウント部を取り付けた時の前記レンズ側マウント部から前記撮像素子の受光面迄の光軸上の距離であるフランジバックをｄａとしたとき、以下の条件式を満足することにより、小型・薄型で優れた結像性能を得ることが可能な交換レンズを達成できた。
１４．０ｍｍ ≦ ２ｒＭ ≦ ４０．０ｍｍ      条件式（１）
１６．０ｍｍ ≦ ｄａ ≦ ２０．０ｍｍ        条件式（２）
また、本発明に係る交換レンズは、直径が１４．０ｍｍ以上２０．０ｍｍ以下の円内に撮像面信号を生成する画素が全て配置される撮像素子と、ボディ側マウント部とを有したカメラボディに取り付け可能な交換レンズであって、前記カメラボディに取り付けるためのレンズ側マウント部と、光学系を有し、前記光学系は、前記撮像素子の受光面に物体の像を結像させ、前記レンズ側マウント部の開口部の最大内径を持つ円弧部の半径をｒＭ、前記レンズ側マウント部から前記光学系の像面迄の距離をｄＢとしたとき、以下の条件式を満足することにより、小型・薄型で優れた結像性能を得ることが可能な交換レンズを達成できた。
１４．０ｍｍ ≦ ２ｒＭ ≦ ４０．０ｍｍ      条件式（１）
１４．８ｍｍ ≦ ｄＢ ≦ １８．８ｍｍ        条件式（２−２）
さらに、本発明に係る交換レンズは、以下の条件式を満足することにより、十分な周辺光量を確保した大口径比レンズの実現が可能な交換レンズを達成できた。
２ｒＭ/ｄＢ ≧ １/ＦＮｏ                    条件式（５−２）
２ｒＭ/ｄＢ ≧ ０．７                       条件式（６−２）
【０００９】
条件式（１）は、本カメラシステムのレンズ側マウント開口部の最大内径を持つ円弧部の半径ｒＭの最適な範囲を規定する条件式である。
条件式（１）の上限値を上回った場合、マウント内径が大型化してしまい、結果としてカメラボディの大型化に繋がってしまう。
条件式（１）の下限値を下回った場合、イメージサークルに対してレンズ側マウント内径が小さくなってしまい、大口径比のレンズの取り付けが困難になってしまう。また、十分な周辺光量が得られなくなってしまい好ましくない。
さらに、レンズ側マウント開口部の最大内径を持つ円弧部の半径ｒＭは、１８．０ｍｍ ≦ ２ｒＭ ≦ ３４．０ｍｍ の条件を満たすほうが好ましい。
【００１０】
条件式（２）は、本カメラシステム全体の小型化と性能をバランスさせるためのフランジバックｄａの最適な範囲を規定する条件式である。
条件式（２）の上限値を上回った場合、長いバックフォーカスを有するレンズを設計する必要があり、結果的にレンズ全長が増大してしまう。また、ボディ厚さが厚くなってしまい好ましくない。
条件式（２）の下限値を下回った場合、バックフォーカスを短くする必要があり、結果的に射出瞳が短くなってしまい好ましくない。また、マウント部材等の強度確保や部材配置等に制約が生じてしまい、好ましくない。
なお、本発明の効果を確実にするために、条件式（２）の上限値を１９．５にすることが好ましい。また、本発明の効果を更に確実にするために、条件式（２）の上限値を１９．０にすることが更に好ましい。また、本発明の効果を更に確実にするために、条件式（３２）の上限値を１８．５にすることが更に好ましい。また、本発明の効果を確実にするために、条件式（２）の下限値を１６．５にすることが好ましい。また、本発明の効果を更に確実にするために、条件式（２）の下限値を１７．０にすることが更に好ましい。また、本発明の効果を更に確実にするために、条件式（２）の下限値を１７．５にすることが更に好ましい。
条件式（２−２）は、本交換レンズの小型化と性能をバランスさせるためのレンズ側マウント部から光学系の像面迄の距離ｄＢの最適な範囲を規定する条件式である。
条件式（２−２）の上限値を上回った場合、長いバックフォーカスを有するレンズを設計する必要があり、結果的にレンズ全長が増大してしまう。また、ボディ厚さが厚くなってしまい好ましくない。
条件式（２−２）の下限値を下回った場合、バックフォーカスを短くする必要があり、結果的に射出瞳が短くなってしまい好ましくない。また、マウント部材等の強度確保や部材配置等に制約が生じてしまい、好ましくない。
なお、本発明の効果を確実にするために、条件式（２−２）の上限値を１８．３にすることが好ましい。また、本発明の効果を更に確実にするために、条件式（２−２）の上限値を１７．８にすることが更に好ましい。また、本発明の効果を更に確実にするために、条件式（２−２）の上限値を１７．３にすることが更に好ましい。また、本発明の効果を確実にするために、条件式（２−２）の下限値を１５．３にすることが好ましい。また、本発明の効果を更に確実にするために、条件式（２−２）の下限値を１５．８にすることが更に好ましい。また、本発明の効果を更に確実にするために、条件式（２−２）の下限値を１６．３にすることが更に好ましい。
尚、レンズ側マウント部から光学系の像面迄の距離ｄＢは、空気換算Ｂｆ、レンズ側マウント部から最も像側のレンズ面までの光軸上の距離Ｌ（前記レンズ側マウント部を基準とし、像側をプラス、物体側をマイナスとする）に対して、ｄＢ＝空気換算Ｂｆ＋Ｌの関係を有する。
【００１１】
条件式（３）は、本カメラシステム全体の小型化と性能をバランスさせるためのイメージサークルＤの最適な範囲を規定する条件式である。
条件式（３）の上限値を上回った場合、十分に長い射出瞳を確保した光学系を設計するのが困難となってしまう。また、結果的に鏡筒外径が増大してしまい好ましくない。
条件式（３）の下限値を下回った場合、小型化には有利であるが、光学系を構成する各レンズ成分の屈折力が強くなってしまう。屈折力が強くなると、レンズ部品や組立精度が厳しくなってしまい、結果として良好な結像性能が提供できなくなってしまう。
なお、本発明の効果を確実にするために、条件式（３）の上限値を１９．５にすることが好ましい。また、本発明の効果を更に確実にするために、条件式（３）の上限値を１９．０にすることが更に好ましい。また、本発明の効果を更に確実にするために、条件式（３）の上限値を１８．５にすることが更に好ましい。また、本発明の効果を更に確実にするために、条件式（３）の上限値を１８．０にすることが更に好ましい。また、本発明の効果を更に確実にするために、条件式（３）の上限値を１７．５にすることが更に好ましい。
また、本発明の効果を確実にするために、条件式（３）の下限値を１４．５にすることが好ましい。また、本発明の効果を更に確実にするために、条件式（３）の下限値を１５．０にすることが更に好ましい。また、本発明の効果を更に確実にするために、条件式（３）の下限値を１５．５にすることが更に好ましい。
条件式（４）は、本カメラシステムの交換レンズを構成する光学系の像側におけるメカニカルな突出量Ｌの適切な範囲を規定するための条件式である。
条件式（４）の上限値を上回った場合、レンズやレンズを支持する部材等がカメラボディ側に干渉してしまい、補正することが困難となってしまう。
なお、本発明の効果を確実にするために、条件式（４）の上限値を７．００にすることが好ましい。また、本発明の効果を更に確実にするために、条件式（４）の上限値を４．５０にすることが更に好ましい。
また、前記レンズ側マウント部から最も像側のレンズ面までの光軸上の距離Ｌは、−１４０．０ｍｍ ≦ Ｌ ≦ １１．０ｍｍ  の条件を満たす方が好ましい。下限値以上を満たすと、十分に長い射出瞳を有する光学系ではなく、結果として全長が長くならず、小型化が可能になる。
【００１２】
条件式（５）、（６）は、フランジバックｄａとレンズ側マウント開口部の最大内径を持つ円弧部の半径ｒＭを適切にするための条件である。
この条件を満たすことにより、大口径比のレンズの実現が可能となり、十分な周辺光量の得られたレンズの実現も可能となる。
なお、本発明の効果を確実にするために、条件式（６）の下限値を０．８にすることが好ましい。また、本発明の効果をさらに確実にするために、条件式（６）の下限値を１．０にすることが好ましい。
条件式（５−２）、（６−２）は、レンズ側マウント部から光学系の像面迄の距離ｄＢとレンズ側マウント開口部の最大内径を持つ円弧部の半径をｒＭを適切にするための条件である。
この条件を満たすことにより、大口径比のレンズの実現が可能となり、十分な周辺光量の得られたレンズの実現も可能となる。
なお、本発明の効果を確実にするために、条件式（６−２）の下限値を０．８にすることが好ましい。また、本発明の効果をさらに確実にするために、条件式（６−２）の下限値を１．０にすることが好ましい。
【００１３】
更に、本発明においては、手ブレ等に起因する像ブレによる撮影の失敗を防ぐために、レンズ系のブレを検出するブレ検出系と駆動手段とをレンズ系に組み合わせ、レンズ系を構成するレンズ群のうち１つのレンズ群の全体または一部をシフトレンズ群として偏心させることにより、ブレ検出系により検出されたレンズ系のブレに起因する像ブレ（像面位置の変動）を補正するように、駆動手段によりシフトレンズ群を駆動させ、像をシフトさせることで、像ブレを補正することが可能である。上述のように、本発明の撮像レンズは、いわゆる防振光学系として機能させることが可能である。
更に、本発明においては、手ブレ等に起因する像ブレによる撮影の失敗を防ぐために、カメラ及びレンズのブレを検出するブレ検出系と駆動手段とを撮像素子に組み合わせ、撮像素子を構成する部材の全体または一部をシフトして偏心させることにより、ブレ検出系により検出されたカメラ及びレンズのブレに起因する像ブレ（像面位置の変動）を補正するように、駆動手段により撮像素子を構成する部材を駆動させ、像をシフトさせることで、像ブレを補正することが可能である。上述のように、本発明のカメラシステムは、いわゆる防振システムとして機能させることが可能である。
【００１４】
また、本発明の各実施例では、各レンズ群の間に他のレンズ群を付加したり、あるいはレンズ系の像側または物体側に隣接させて他のレンズ群を付加することも可能である。
なお、以下に記載の内容は、光学性能を損なわない範囲で適宜採用可能である。
まず、レンズ面は、非球面を採用してもよい。このとき、研削加工による非球面、ガラスを型で非球面形状に形成したガラスモールド非球面、ガラスの表面に樹脂を非球面形状に形成した複合型非球面のいずれの非球面でも構わない。
また、レンズ面は回折面としても良く、レンズを屈折率分布型レンズ（ＧＲＩＮレンズ）あるいはプラスチックレンズとしても良い。
さらに、各レンズ面には、広い波長域で高い透過率を有する反射防止膜を施すことにより、フレアやゴーストを軽減し高コントラストの高い光学性能を達成できる。
【００１５】
本発明の各実施例にかかる撮像レンズ系は、物体側から順に、交換レンズを構成する各レンズ成分と、カメラボディ内に配されたローパスフィルタや赤外カットフィルタ等からなるフィルタ群ＦＬと、撮像素子の受光面Ｉから構成されている。
また、無限遠合焦状態から近距離合焦状態への合焦状態の変化（すなわちフォーカシング）に際して、あるレンズ成分を光軸方向に移動させることによってフォーカシングを行っている。
各実施例において、非球面は、光軸に垂直な方向の高さをｙとし、高さｙにおける各非球面の頂点の接平面から各非球面までの光軸に沿った距離（サグ量）をＳ（ｙ）、基準球面の曲率半径（近軸曲率半径）をｒ、円錐定数をκ、ｎ次の非球面係数をＡｎとしたとき、以下の数式で表される。
Ｓ（ｙ）＝（ｙ２／ｒ）／｛１＋（１−κ×ｙ２／ｒ２）1/2｝＋Ａ４×ｙ4＋Ａ６×ｙ6
＋Ａ８×ｙ8＋Ａ１０×ｙ10  数式（ａ）
なお、各実施例において、２次の非球面係数Ａ２は０である。各実施例の表中において、非球面には面番号の左側に＊印を付している。
【００１６】
〔第１実施例〕
図３は、本発明の第１実施の形態にかかる撮像レンズ系の構成を示す図である。この図３の交換レンズ１の光学系は、第１群レンズ群Ｇ１および第２レンズ群Ｇ２の２群構成からなるズームレンズで構成され、さらに前記第２レンズ群２は、第２ａレンズ群Ｇ２ａと第２ｂレンズ群Ｇ２ｂから構成されている。
前記第１レンズ群Ｇ１は、物体側に凸面を向けた負メニスカスレンズからなる第１レンズ成分Ｌ１、物体側に凸面を向けた負メニスカスレンズからなる第２レンズ成分Ｌ２、および物体側に凸面を向けた正メニスカスレンズからなる第３レンズ成分Ｌ３から構成されている。
前記第２ａレンズ群Ｇ２ａは、物体側に凸面を向けた負メニスカスレンズからなる第４レンズＬ４と両凸レンズからなる第５レンズＬ５とを貼り合わせた接合レンズで構成されている。
前記第２ｂレンズ群Ｇ２ｂは、物体側に凸面を向けた正メニスカスレンズからなる第６レンズ成分Ｌ６、両凹レンズからなる第７レンズ成分Ｌ７と両凸レンズからなる第８レンズ成分Ｌ８とを貼り合わせた接合レンズ、両凸レンズからなる第９レンズ成分Ｌ９と両凹レンズＬ１０とを貼り合わせた接合レンズ、および両凸レンズからなる第１１レンズ成分Ｌ１１から構成されている。
さらに、フィルタ群ＦＬは、ローパスフィルタや赤外カットフィルタ等から構成されている。
像面Ｉは、不図示の撮像素子の受光面上に形成され、該撮像素子はＣＣＤやＣＭＯＳ等の固体撮像素子から構成されている（以降の実施例についても同様である。）。
また、開口絞りＳは、第２レンズ群Ｇ２内に配置され、無限遠状態から近距離状態へのフォーカシングに際して、像面に対して固定である。
【００１７】
次の表（１）に、本発明の第１実施例の諸元の値を掲げる。表（１）において、ｆは焦点距離を、ＦＮｏはＦナンバーを、２ωは画角をそれぞれ表している。さらに、面番号は光線の進行する方向に沿った物体側からのレンズ面の順序を、屈折率およびアッベ数はそれぞれｄ線（λ＝５８７．６ｎｍ）に対する値を示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。尚、曲率半径0.0000は平面を示し、空気の屈折率1.00000は省略してある。
【００１８】
［表１］
広角端     中間焦点距離      望遠端
ｆ = 10.30    〜    18.75    〜    29.10
ＦＮｏ=  3.64    〜     4.58    〜     5.85
２ω = 78.99    〜    46.54    〜    30.69
像高 =  7.96    〜     7.96    〜     7.96
レンズ全長 = 75.01    〜    68.45    〜    73.01
空気換算Ｂｆ=20.01    〜    29.36    〜    40.81
面番号 曲率半径 面間隔  屈折率  アッベ数
1    25.1496   1.80  1.77377  47.17
* 2     8.2125   5.45
3   196.3246   0.80  1.75500  52.32
4    27.6871   1.30
5    16.4584   2.40  1.84666  23.78
6    32.8415   (d6)
7    48.1525   0.80  1.80810  22.76
8    29.9255   1.90  1.65160  58.55
9   -48.2103   (d9)
10     9.6852   1.95  1.60300  65.44
11    25.9987   1.00
12     0.0000   1.30                  （開口絞りＳ）
13 -2813.1247   0.80  1.82080  42.71
*14    16.7458   0.60
15     0.0000   1.15
16    20.3251   1.75  1.49700  81.54
17   -90.6835   0.80  1.83400  37.16
18    17.5678   0.45
19    12.4017   2.15  1.66910  55.42
*20   -71.9576   (d20)
21     0.0000   1.00  1.51680  64.10
22     0.0000   2.13
23     0.0000   1.87  1.51680  64.10
24     0.0000   0.30
25     0.0000   0.70  1.51680  64.10
26     0.0000   0.50
各レンズ群の焦点距離
群      始面    焦点距離
1       1       -18.1260
2       7        20.0528
【００１９】
本発明の第１実施例において、第２面および第１４面、第２０面の各レンズ面は、非球面形状に形成されている。次の表（２）に、非球面のデータ、すなわち頂点曲率半径Ｒ、円錐定数κおよび各非球面定数Ａ４〜Ａ１０の値を示す。
【００２０】
［表２］
〔第２面〕
Ｒ      κ      Ａ４          Ａ６          Ａ８          Ａ１０
8.2125 +0.6130 +1.9235×10-5  +1.4500×10-7  +1.3915×10-9  +1.5970×10-12
〔第１４面〕
Ｒ      κ      Ａ４          Ａ６          Ａ８          Ａ１０
16.7458 +0.1364 -3.4025×10-5  +1.6024×10-6  -2.1062×10-7  +7.1555×10-9
〔第２０面〕
Ｒ      κ      Ａ４          Ａ６          Ａ８          Ａ１０
-71.9576 -8.5090 +2.4560×10-4  +2.7700×10-6  -3.1700×10-8  +4.6515×10-10
【００２１】
本発明の第１実施例において、第１レンズ群Ｇ１と第２レンズ群Ｇ２との軸上空気間隔ｄ６、第２ａレンズ群Ｇ２ａと第２ｂレンズ群Ｇ２ｂとの軸上空気間隔ｄ９、第２レンズ群Ｇ２とフィルタ群ＦＬとの軸上空気間隔ｄ２０は、ズーミングに際して変化する。次の表（３）に広角端状態、中間焦点距離状態、望遠端状態の各焦点距離における無限遠時の可変間隔を示す。
【００２２】
［表３］
広角端     中間焦点距離       望遠端
f  10.3000        18.7500        29.1000
d6  23.8068         7.9033         1.0085
d9   3.5766         3.5766         3.5766
d20  14.7252        24.0734        35.5235
次の表（４）に、本発明の第１実施例における各条件式対応値を示す。
【００２３】
［表４］
ｄａ＝18.0000
ＴＬｗ＝75.0086
Σｄｗ＝53.7834
Ｙｍａｘ＝7.9600
ＦＮｏｗ＝3.6380
ＦＮｏｍ＝4.5812
ＦＮｏｔ＝5.8528
条件式（１）２ｒＭ＝27.0
条件式（２）ｄａ＝18.0000
条件式（２−２）ｄＢ＝16.7836
条件式（３）Ｄ＝15.9200
条件式（４）Ｌ＝-3.2252（広角端）
条件式（５）(２ｒＭ／da＝1.50)  1.50 ≧ 1/3.638、1/4.5812、1/5.8528
条件式（５−２）(２ｒＭ／dB＝1.6087)  1.6087≧1/3.638、1/4.5812、1/5.8528
【００２４】
〔第２実施例〕
図４は、本発明の第２実施例にかかる撮像レンズ系の構成を示す図である。この図４の交換レンズ１の光学系は、第１群レンズ群Ｇ１、第２レンズ群Ｇ２、および第３レンズ群Ｇ３の３群構成からなるズームレンズで構成され、さらに第１レンズ群Ｇ１は、第１ａレンズ群Ｇ１ａと第１ｂレンズ群Ｇ１ｂから構成されている。
前記第１ａレンズ群Ｇ１ａは、物体側に凸面を向けた負メニスカスレンズからなる第１レンズＬ１と両凸レンズからなる第２レンズＬ２とを貼り合わせた接合レンズて構成されている。
前記第１ｂレンズ群Ｇ１ｂは、物体側に凸面を向けた正メニスカスレンズからなる第３レンズ成分Ｌ３で構成されている。
前記第２レンズ群Ｇ２は、両凹レンズからなる第４レンズ成分Ｌ４、両凹レンズからなる第５レンズＬ５と物体側に凸面を向けた正メニスカスからなる第６レンズＬ６とを貼り合わせた接合レンズ、および両凹レンズＬ７からなる第７レンズ成分Ｌ７で構成されている。
前記第３レンズ群Ｇ３は、両凸レンズからなる第８レンズ成分Ｌ８、両凸レンズからなる第９レンズＬ９と両凹レンズからなる第１０レンズＬ１０とを貼り合わせた接合レンズ、両凸レンズからなる第１１レンズ成分Ｌ１１、両凹レンズからなる第１２レンズと両凸レンズからなる第１３レンズとを貼り合わせた接合レンズ、および像側に凹面を向けた負メニスカスレンズからなる第１４レンズ成分Ｌ１４とで構成されている。
さらに、フィルタ群ＦＬは、ローパスフィルタや赤外カットフィルタ等から構成されている。
また、開口絞りＳは、第２レンズ群Ｇ２と第３レンズ群Ｇ３の間に配置され、無限遠状態から近距離状態へのフォーカシングに際して、第２レンズ群Ｇ２または第３レンズ群Ｇ３または像面に対して固定である。
【００２５】
次の表（５）に、本発明の第２実施例の諸元の値を掲げる。表（５）において、ｆは焦点距離を、ＦＮｏはＦナンバーを、２ωは画角をそれぞれ表している。さらに、面番号は光線の進行する方向に沿った物体側からのレンズ面の順序を、屈折率およびアッベ数はそれぞれｄ線（λ＝５８７．６ｎｍ）に対する値を示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。尚、曲率半径0.0000は平面を示し、空気の屈折率1.00000は省略してある。
【００２６】
［表５］
広角端     中間焦点距離      望遠端
f = 30.00    〜    65.50    〜   107.09
ＦＮｏ=  4.14    〜     4.85    〜     5.75
２ω = 31.89    〜    14.24    〜     8.79
像高 =  8.50    〜     8.50    〜     8.50
レンズ全長 = 76.00    〜    95.28    〜   105.00
空気換算Ｂｆ=21.57    〜    26.99    〜    34.74
面番号 曲率半径 面間隔  屈折率  アッベ数
1   346.7451   0.95  1.83400  37.16
2    54.0425   3.00  1.49782  82.52
3   -63.5775   (d3)
4    36.4849   2.35  1.49782  82.52
5   474.1283   (d5)
6   -81.0984   0.80  1.69680  55.53
7    35.2884   0.85
8   -45.4861   0.80  1.69680  55.53
9    15.4621   2.20  1.84666  23.78
10   242.8730   0.95
11   -19.8007   0.80  1.72916  54.68
12   405.4435   (d12)
13     0.0000   0.50                  （開口絞りＳ）
14   348.1094   2.15  1.60311  60.64
15   -21.6711   0.10
16    18.4392   3.30  1.49782  82.52
17   -15.2984   0.80  1.80384  33.89
18    95.0246   0.10
19    14.4846   2.70  1.60300  65.44
20   -68.6868   8.55
21   -28.4844   0.80  1.74399  44.79
22     6.8364   3.75  1.61293  37.00
23   -14.9063   0.84
24    -8.3732   1.15  1.78800  47.37
25   -15.0720   (d25)
26     0.0000   1.00  1.51680  64.12
27     0.0000   1.50
28     0.0000   1.87  1.51680  64.12
29     0.0000   0.40
30     0.0000   0.70  1.51680  64.12
31     0.0000   0.50
各レンズ群の焦点距離
群      始面    焦点距離
1       1        60.3701
2       6       -12.2950
3      14        14.4853
【００２７】
本発明の第２実施例において、第１ａレンズ群Ｇ１ａと第１ｂレンズ群Ｇ１ｂとの軸上空気間隔ｄ３、第１レンズ群Ｇ１と第２レンズ群Ｇ２との軸上空気間隔ｄ５、第２レンズ群Ｇ２と第３レンズ群Ｇ３との軸上空気間隔ｄ１２、第３レンズ群Ｇ３とフィルタ群ＦＬとの軸上空気間隔ｄ２５は、ズーミングに際して変化する。次の表（６）に広角端状態、中間焦点距離状態、望遠端状態の各焦点距離における無限遠時の可変間隔を示す。
【００２８】
［表６］
広角端     中間焦点距離       望遠端
f  30.0001        65.5002       107.0905
d3   4.1293         4.1293         4.1293
d5   2.0000        20.3065        25.6415
d12   9.6402         5.2156         1.8304
d25  16.8184        22.2346        29.9867
次の表（７）に、本発明の第２実施例における各条件式対応値を示す。
【００２９】
［表７］
ｄａ＝17.0000
ＴＬｗ＝76.0001
Σｄｗ＝53.2116
Ｙｍａｘ＝8.5000
ＦＮｏｗ＝4.1735
ＦＮｏｍ＝4.8232
ＦＮｏｔ＝5.7441
条件式（１）２ｒＭ＝33.0
条件式（２）ｄａ＝17.0
条件式（２−２）ｄＢ＝15.7836
条件式（３）Ｄ＝17.0
条件式（４）Ｌ＝-5.7885（広角端）
条件式（５）(２ｒＭ／da＝1.9412)  1.9412 ≧1/4.1735、1/4.8232、1/5.7441
条件式（５−２）(２ｒＭ／dB＝2.0908)  2.0908≧1/4.1735、1/4.8232、1/5.7441
【００３０】
〔第３実施例〕
図５は、本発明の第３実施例にかかる撮像レンズ系の構成を示す図である。この図５の交換レンズ１の光学系は、第１群レンズ群Ｇ１と第２レンズ群Ｇ２からなる単焦点レンズで構成されている。
前記第１レンズ群Ｇ１は、物体側に凸面を向けた負メニスカスレンズからなる第１レンズ成分Ｌ１と、物体側に凸面を向けた負メニスカスレンズからなる第２レンズ成分Ｌ２、および両凸レンズからなる第３レンズ成分Ｌ３とで構成されている。
前記第２レンズ群Ｇ２は、両凹レンズからなる第４レンズＬ４と両凸レンズからなる第５レンズＬ５とを貼り合わせた接合レンズ、および両凸レンズからなる第６レンズ成分Ｌ６とで構成されている。
さらに、フィルタ群ＦＬは、ローパスフィルタや赤外カットフィルタ等から構成されている。
また、開口絞りＳは、第１レンズ群Ｇ１と第２レンズ群Ｇ２の間に配置され、無限遠状態から近距離状態へのフォーカシングに際して、像面に対して固定である。
【００３１】
次の表（８）に、本発明の第３実施例の諸元の値を掲げる。表（８）において、ｆは焦点距離を、ＦＮｏはＦナンバーを、２ωは画角をそれぞれ表している。さらに、面番号は光線の進行する方向に沿った物体側からのレンズ面の順序を、屈折率およびアッベ数はそれぞれｄ線（λ＝５８７．６ｎｍ）に対する値を示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。尚、曲率半径0.0000は平面を示し、空気の屈折率1.00000は省略してある。
【００３２】
［表８］
f   =   10.60
ＦＮｏ  =   2.87
２ω   =   76.93
像高   =    8.19
全長   =   35.98
空気換算Ｂｆ=14.71
面番号 曲率半径 面間隔  屈折率  アッベ数
1    11.6151   1.10  1.69350  53.20
* 2     5.8232   2.50
3    39.6894   1.20  1.67790  55.34
4    19.5461   1.20
5    13.5252   2.75  1.90366  31.31
6  -336.4314   0.25
7     0.0000   1.55
8     0.0000   (d8)                  （開口絞りＳ）
9     0.0000   1.25
10    -6.0487   0.95  1.80518  25.42
11  1661.0055   2.80  1.75500  52.32
12    -7.1834   0.20
13    23.0502   2.75  1.59201  67.02
*14   -17.3125   (d14)
15     0.0000   1.00  1.51633  64.14
16     0.0000   5.73
17     0.0000   1.87  1.51633  64.14
18     0.0000   0.30
19     0.0000   0.70  1.51633  64.14
20     0.0000   0.48
各レンズ群の焦点距離
群      始面    焦点距離
1       1       106.9661
2      10        13.0930
【００３３】
本発明の第３実施例において、第２面および第１４面のレンズ面は、非球面形状に形成されている。次の表（９）に、非球面のデータ、すなわち頂点曲率半径Ｒ、円錐定数κおよび各非球面定数Ａ４〜Ａ１０の値を示す。
【００３４】
［表９］
〔第２面〕
Ｒ      κ      Ａ４          Ａ６          Ａ８          Ａ１０
5.8232 +0.2484 +2.8541×10-4  +5.1153×10-6  +6.0420×10-9  +2.4456×10-9
〔第１４面〕
Ｒ      κ      Ａ４          Ａ６          Ａ８          Ａ１０
-17.3125 -19.0000 -2.8224×10-4 +9.8015×10-6  -1.4878×10-7  +1.1010×10-9
【００３５】
本発明の第３実施例において、絞りＳと第２レンズ群Ｇ２との軸上空気間隔ｄ８、第２レンズ群Ｇ２とフィルタ群ＦＬとの軸上空気間隔ｄ１４は、フォーカシングに際して変化する。次の表（１０）に無限遠合焦状態及び近距離合焦状態における可変間隔を示す。なお、近距離は0.5ｍの撮影距離である。
【００３６】
［表１０］
無限遠         近距離
d2         1.5591         1.3171
d14        5.8409         6.0829
次の表（１１）に、本発明の第３実施例における各条件式対応値を示す。
【００３７】
［表１１］
ｄａ＝18.5000
ＴＬｗ＝35.9826
Σｄｗ＝20.0591
Ｙｍａｘ＝8.1900
ＦＮｏ＝2.8685
条件式（１）２ｒＭ＝18.0
条件式（２）ｄａ＝18.5
条件式（２−２）ｄＢ＝17.2836
条件式（３）Ｄ＝16.38
条件式（４）Ｌ＝2.5765
条件式（５）(２ｒＭ／da＝0.9730)  0.9730 ≧1/2.8685
条件式（５−２）(２ｒＭ／dB＝1.0414)  1.0414 ≧1/2.8685
【００３８】
〔第４実施例〕
図６は、本発明の第４実施例にかかる撮像レンズ系の構成を示す図である。この図６の交換レンズ１の光学系は、第１群レンズ群Ｇ１と第２レンズ群Ｇ２からなる単焦点レンズで構成されている。
前記第１群レンズ群Ｇ１は、物体側に凸面を向けた正メニスカスレンズからなる第１レンズ成分Ｌ１、物体側に凸面を向けた正メニスカスレンズからなる第２レンズ成分Ｌ２、物体側に凸面を向けた正メニスカスレンズからなる第３レンズ成分Ｌ３、物体側に凸面を向けた負メニスカスレンズからなる第４レンズ成分Ｌ４、両凹レンズからなる第５レンズ成分Ｌ５と両凸レンズからなる第６レンズ成分Ｌ６とを貼り合わせた接合レンズ、および両凸レンズＬ７からなる第７レンズ成分Ｌ７とで構成されている。
前記第２レンズ群Ｇ２は、両凸レンズからなる第８レンズ成分Ｌ８と両凹レンズからなる第９レンズ成分Ｌ９とを貼り合わせた接合レンズで構成されている。
さらに、フィルタ群ＦＬは、ローパスフィルタや赤外カットフィルタ等から構成されている。
また、開口絞りＳは、第１レンズ群の間に配置され、無限遠状態から近距離状態へのフォーカシングに際して、第１レンズ群と一体に可動する。
【００３９】
次の表（１２）に、本発明の第４実施例の諸元の値を掲げる。表（１２）において、ｆは焦点距離を、ＦＮｏはＦナンバーを、２ωは画角をそれぞれ表している。さらに、面番号は光線の進行する方向に沿った物体側からのレンズ面の順序を、屈折率およびアッベ数はそれぞれｄ線（λ＝５８７．６ｎｍ）に対する値を示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。尚、曲率半径0.0000は平面を示し、空気の屈折率1.00000は省略してある。
【００４０】
［表１２］
f   =   32.00
ＦＮｏ  =   1.23
２ω   =   29.36
像高   =    8.35
全長   =   56.12
空気換算Ｂｆ=12.63
面番号 曲率半径 面間隔  屈折率  アッベ数
1    35.1646   5.50  1.59319  67.87
2   329.7297   0.30
3    22.4968   4.30  1.59319  67.87
4    61.9156   0.20
5    21.5844   5.10  1.81600  46.62
6    21.8900   1.30
7    57.6030   1.30  1.67270  32.10
8    10.5222   4.90
9     0.0000   4.00                  （開口絞りＳ）
10   -11.2286   1.30  1.69895  30.13
11    56.3405   4.35  1.88300  40.76
12   -19.0163   0.15
13   583.7537   2.85  1.75500  52.32
14   -32.8762   (d14)
15    40.5457   4.30  1.88300  40.76
16   -30.1051   1.40  1.76182  26.52
17   881.0656   (d17)
18     0.0000   0.50  1.51680  64.10
19     0.0000   4.60
20     0.0000   1.87  1.51680  64.10
21     0.0000   0.30
22     0.0000   0.70  1.51680  64.10
23     0.0000   0.50
各レンズ群の焦点距離
群      始面    焦点距離
1       1        51.8852
2      15        40.3248
【００４１】
本発明の第４実施例において、第１レンズ群Ｇ１と第２レンズ群Ｇ２との軸上空気間隔ｄ１４、第２レンズ群Ｇ２とフィルタ群ＦＬとの軸上空気間隔ｄ１７は、フォーカシングに際して変化する。次の表（１３）に無限遠合焦状態及び近距離合焦状態における可変間隔を示す。なお、近距離は0.5ｍの撮影距離である。
【００４２】
［表１３］
無限遠         近距離
d14         1.2000         3.2351
d17         5.2048         6.8141
次の表（１４）に、本発明の第４実施例における各条件式対応値を示す。
【００４３】
［表１４］
ｄａ＝18.0000
ＴＬｗ＝56.1248
Σｄｗ＝42.4500
Ｙｍａｘ＝8.3500
ＦＮｏ＝1.2344
条件式（１）２ｒＭ＝30.0
条件式（２）ｄａ＝18.0
条件式（２−２）ｄＢ＝16.9540
条件式（３）Ｄ＝16.7000
条件式（４）Ｌ＝4.3252
条件式（５）(２ｒＭ／da＝1.6667)  1.6667 ≧1/1.2344
条件式（５−２）(２ｒＭ／dB＝1.7695)  1.7695 ≧ 1/1.2344
【００４４】
〔第５実施例〕
図７は、本発明の第５実施例にかかる撮像レンズ系の構成を示す図である。この図７の交換レンズ１の光学系は、第１群レンズ群Ｇ１および第２レンズ群Ｇ２の２群構成からなるズームレンズで構成され、さらに第２レンズ群は、第２ａレンズ群Ｇ２ａと第２ｂレンズ群Ｇ２ｂとから構成されている。
前記第１群レンズ群Ｇ１は、物体側に凸面を向けた負メニスカスレンズからなる第１レンズ成分Ｌ１、両凹レンズからなる第２レンズ成分Ｌ２、および物体側に凸面を向けた正メニスカスレンズからなる第３レンズ成分Ｌ３とで構成されている。
前記第２ａレンズ群Ｇ２ａは、凸メニスカスレンズからなる第４レンズ成分で構成されている。
前記第２ｂレンズ群Ｇ２ｂは、両凸レンズからなる第５レンズ成分Ｌ５と像側に凸面を向けた負メニスカスからなる第６レンズ成分Ｌ６とを貼り合わせた接合レンズ、物体側に凸面を向けた負メニスカスからなる第７レンズ成分Ｌ７と両凸レンズからなる第８レンズ成分Ｌ８とを貼り合わせた接合レンズ、像側に凸面を向けた正メニスカスレンズからなる第９レンズ成分Ｌ９、および像側に凸面を向けた負メニスカスレンズからなる第１０レンズ成分Ｌ１０で構成されている。
さらに、フィルタ群ＦＬは、ローパスフィルタや赤外カットフィルタ等から構成されている。
また、開口絞りＳは、第２ａレンズ群Ｇ２ａと第２ｂレンズ群Ｇ２ｂの間に配置され、無限遠状態から近距離状態へのフォーカシングに際して、第２ａレンズ群Ｇ２ａまたは第２ｂレンズ群Ｇ２ｂまたは像面に対して固定である。
【００４５】
次の表（１５）に、本発明の第５実施例の諸元の値を掲げる。表（１５）において、ｆは焦点距離を、ＦＮｏはＦナンバーを、２ωは画角をそれぞれ表している。さらに、面番号は光線の進行する方向に沿った物体側からのレンズ面の順序を、屈折率およびアッベ数はそれぞれｄ線（λ＝５８７．６ｎｍ）に対する値を示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。尚、曲率半径0.0000は平面を示し、空気の屈折率1.00000は省略してある。
【００４６】
［表１５］
広角端     中間焦点距離      望遠端
f =  6.90    〜     9.50    〜    12.61
ＦＮｏ=  3.63    〜     4.53    〜     5.77
２ω = 98.32    〜    78.98    〜    63.34
像高 =  7.85    〜     7.85    〜     7.85
レンズ全長 = 71.57    〜    69.91    〜    71.31
空気換算Ｂｆ＝14.66    〜   19.25    〜    24.74
面番号 曲率半径 面間隔  屈折率  アッベ数
* 1    66.1237   1.90  1.76802  49.23
* 2    11.2811  10.60
3   -42.1432   3.20  1.76802  49.23
* 4    17.4513   3.80
5    14.5546   2.40  1.92286  20.88
6    23.1839   (d6)
7    13.2265   1.50  1.75500  52.32
8    37.9949   (d8)
9     0.0000   1.50                  （開口絞りＳ）
10    21.7513   6.50  1.49782  82.56
11    -9.3721   1.00  1.88300  40.77
12   -49.7827   1.66
13    11.8579   1.20  1.90366  31.31
14     7.9982   2.50  1.49782  82.56
15  -992.9794   1.21
16 -5546.2137   1.80  1.49782  82.56
17   -17.2843   0.40  1.00000       
18   -13.7933   1.20  1.76802  49.23
*19   -21.3660   (d19)
20     0.0000   0.50  1.51633  64.14
21     0.0000   4.60
22     0.0000   1.87  1.51633  64.14
23     0.0000   0.30
24     0.0000   0.70  1.51633  64.14
25     0.0000   0.50
各レンズ群の焦点距離
群      始面    焦点距離
1       1        -9.4458
2       7        16.6813
【００４７】
本発明の第５実施例において、第１面および第２面、第４面、第１９面の各レンズ面は、非球面形状に形成されている。次の表（１６）に、非球面のデータ、すなわち頂点曲率半径Ｒ、円錐定数κおよび各非球面定数Ａ４〜Ａ１０の値を示す。
【００４８】
［表１６］
〔第１面〕
Ｒ      κ      Ａ４          Ａ６          Ａ８          Ａ１０
66.1237 +11.2700 +6.5215×10-6  +4.5152×10-9  +0.0000      +0.0000
〔第２面〕
Ｒ      κ      Ａ４          Ａ６          Ａ８          Ａ１０
11.2811 -0.6593 +0.0000        +0.0000        +0.0000      +0.0000
〔第４面〕
Ｒ      κ      Ａ４          Ａ６          Ａ８          Ａ１０
17.4513 +2.7400 +1.5435×10-4  +3.8190×10-7  +0.0000        +0.0000
〔第１９面〕
Ｒ      κ      Ａ４          Ａ６          Ａ８          Ａ１０
-21.3661 -21.6872 -1.3545×10-4 +5.0740×10-6  -6.2302×10-8  +0.0000
【００４９】
本発明の第５実施例において、第１レンズ群Ｇ１と第２レンズ群Ｇ２との軸上空気間隔ｄ６、第２ａレンズ群Ｇ２ａと絞りＳとの軸上空気間隔ｄ８、第２レンズ群Ｇ２とフィルタ群ＦＬとの軸上空気間隔ｄ１９は、ズーミングに際して変化する。次の表（１７）に広角端状態、中間焦点距離状態、望遠端状態の各焦点距離における無限遠時の可変間隔を示す。
【００５０】
［表１７］
広角端     中間焦点距離       望遠端
f   6.9000         9.5000        12.6100
d6  12.1174         5.8676         1.7770
d8   1.3806         1.3806         1.3806
d19   7.2339        11.8255        17.3178
次の表（１８）に、本発明の第５実施例における各条件式対応値を示す。
【００５１】
［表１８］
ｄａ＝17.5000
ＴＬｗ＝71.5698
Σｄｗ＝55.8659
Ｙｍａｘ＝7.8500
ＦＮｏｗ＝3.6257
ＦＮｏｍ＝4.5272
ＦＮｏｔ＝5.7719
条件式（１）２ｒＭ＝21.8
条件式（２）ｄａ＝17.50
条件式（２−２）ｄＢ＝16.4540
条件式（３）Ｄ＝15.7000
条件式（４）Ｌ＝1.7961（広角端）
条件式（５）(２ｒＭ／da＝1.2457)  1.2457≧1/3.6257、1/4.5272、1/5.7719 
条件式（５−２）(２ｒＭ／dB＝1.3249)  1.3249≧1/3.6257、1/4.5272、1/5.7719
【００５２】
以下に前記実施例１から実施例５における本発明条件式（１）から条件式（６）の値をまとめて、表記する。  ここで、条件式（５）は満足する場合を○で表記する。
条件式（１）条件式（２）条件式（３）条件式（４） 条件式（５） 条件式（６）
２ｒＭ     ｄａ       Ｄ       Ｌ  ２ｒＭ/ｄａ≧1/ＦＮｏ  ２ｒＭ/ｄａ
第１実施例  27.0      18.0      15.92    -3.2252         ○           1.50
第２実施例  33.0      17.0      17.00    -5.7885         ○           1.9412
第３実施例  18.0      18.5      16.38     2.5765         ○           0.9730
第４実施例  30.0      18.0      16.70     4.3252         ○           1.6667
第５実施例  21.8      17.5      15.70     1.7961         ○           1.2457
【００５３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００５４】
Ｌ１    第１レンズ成分Ｌ１
Ｌ２    第２レンズ成分Ｌ２
Ｌ３    第３レンズ成分Ｌ３
Ｌ４    第４レンズ成分Ｌ４
Ｌ５    第５レンズ成分Ｌ５
Ｌ６    第６レンズ成分Ｌ６
Ｌ７    第７レンズ成分Ｌ７
Ｌ８    第８レンズ成分Ｌ８
Ｌ９    第９レンズ成分Ｌ９
Ｌ１０  第１０レンズ成分Ｌ１０
Ｌ１１  第１１レンズ成分Ｌ１１
Ｌ１２  第１２レンズ成分Ｌ１２
Ｌ１３  第１３レンズ成分Ｌ１３
Ｌ１４  第１４レンズ成分Ｌ１４
ＦＬ    フィルタ群
Ｓ      開口絞り
１      交換レンズ
１ａ    レンズ側マウント部
２        カメラボディ
２ａ    カメラボディ側マウント部
２ｒＭ  レンズ側マウント開口部の最大内径を持つ円弧部の直径
ｄａ    フランジバック
Ｄ      イメージサークル
Ｌ      レンズ側マウント部から最も像側のレンズ面までの光軸上の距離
Ｉ      撮像素子の受光面
【図１】
2012098706.tif 000003
【図２】
2012098706.tif 000004
【図３】
2012098706.tif 000005
【図４】
2012098706.tif 000006
【図５】
2012098706.tif 000007
【図６】
2012098706.tif 000008
【図７】
2012098706.tif 000009